(57)【特許請求の範囲】
【請求項１】
上面に溝部を有する制御装置と、
前記溝部に取り付けられた取付金具と、
前記取付金具を介して前記制御装置に取り付けられた表示装置と、を備え、
前記取付金具は、
前記溝部に沿ってスライド可能に取り付けられた第１の部品と、
前記第１の部品に取り付けられ、前記第１の部品に対して水平方向に回転可能な第２の部品と、
前記表示装置の背面に固定され、かつ前記第２の部品に取り付けられ、前記第２の部品に対して垂直方向に回転可能な第３の部品と、
を備え、
前記第１の部品は、前記溝部の底面との間に空洞を形成するＵ字曲げ形状を備え、前記空洞にケーブルを通すことが可能な、車載用表示装置。
【請求項２】
前記第１の部品は、前記溝部への第１の取付部を備え、
前記第２の部品は、前記第１の部品への第２の取付部を備え、
前記第３の部品は、前記第２の部品への第３の取付部を備え、
前記第１の取付部、前記第２の取付部、及び前記第３の取付部は、長穴形状に形成されている、請求項１に記載の車載用表示装置。
【請求項３】
前記第２の部品の周囲には、曲げ形状が設けられている、請求項１または２に記載の車載用表示装置。
【請求項４】
前記表示装置は、背面に第２の溝部を備えており、
前記第３の部品は、前記第２の溝部に沿ってスライド可能に取り付けられている、請求項１から３のいずれかに記載の車載用表示装置。
【発明の詳細な説明】
【技術分野】
【０００１】
本発明は、車載用表示装置に関する。
【背景技術】
【０００２】
車載用の表示装置において、表示部（ディスプレイ）と車輌ＤＩＮ（Deutsche Industrie Normen；ドイツ工業規格）搭載型の制御装置が独立した構成の場合、表示部はインストルメントパネル（インパネ）上部への設置が通常である。しかし、インパネの形状は車種により異なるため、設置するためのスペースがない場合もある。また、運転手の視界の妨げとなる場合もあることから、表示部を制御装置の前面に取り付ける方法が取られている。この場合、設置強度を確保するために、取り付け金具を用いて表示部を制御装置の前面に取り付けている。
【０００３】
特許文献１には、車両に取り付けられる装置本体と、装置本体内に収納可能に設けられたモニター取付台と、モニター取付台の前端部に着脱手段を介して取り付けられたモニターと、着脱手段に設けられて着脱手段における着脱に連動して装置本体とモニターとの間の電気的導通を接続または切断するコネクタとを備えた車載装置が記載されている。
【０００４】
また、特許文献２には、テレビを載置して固定させる固定板１と、回転台２と、回転台２と固定板１との間に挿設されるばねと、固定板の傾動角度を保持させるストッパ６と、固定板１の水平状態を保持するロック機構９と、スペーサ１１に固設されたスライド部材１２と、スペーサ支持ボルト１５と、スライド基板３と、ベアリング機構１４とを有し、固定板１と回転台２のうちの少なくとも一方に、ばねを格納し得る凹部を形成してばねを挿設し、回転台２にヒンジを介して固定板１を係着し、回転台２をスライド基板３に滑動自在に係着し、回転台２の下面にスペーサ１１に設けた回動制限部材当接部に当接して回転台の回動を制限する部材を取り付けて構成されたテレビ台が記載されている。
【先行技術文献】
【特許文献】
【０００５】
【特許文献１】特開２００３−２３７４８５号公報
【特許文献２】実案第３０４６８４０号公報
【発明の概要】
【発明が解決しようとする課題】
【０００６】
しかしながら、特許文献１，２に記載の装置では、表示部を運転手から見やすい位置に自在に調整することができなかった。また、表示部と制御装置との接続ケーブル等の配線を容易にすることはできなかった。
【０００７】
そこで、本発明は、車輌の形状による制限がなく、表示部を運転手から見やすい位置に自在に調整できる車載用表示装置を提供することを一つの目的とする。
【課題を解決するための手段】
【０００８】
本発明に係る車載用表示装置は、上面に溝部を有する制御装置と、前記溝部に取り付けられた取付金具と、前記取付金具を介して前記制御装置に取り付けられた表示装置と、を備え、前記取付金具は、前記溝部に沿ってスライド可能に取り付けられた第１の部品と、前記第１の部品に取り付けられ、前記第１の部品に対して水平方向に回転可能な第２の部品と、前記表示装置の背面に固定され、かつ前記第２の部品に取り付けられ、前記第２の部品に対して垂直方向に回転可能な第３の部品と、を備える。
【発明の効果】
【０００９】
本発明によれば、車輌の形状による制限がなく、表示部を運転手から見やすい位置に自在に調整できる車載用表示装置を提供することできる。
【図面の簡単な説明】
【００１０】
【図１】本発明の実施の形態による、車載用表示装置の構成を示す図である。
【図２】本発明の実施の形態による、取付金具の構成を示す分解図である。
【図３】本発明の実施の形態による、取付金具の構成を示す分解図である。
【図４】本発明の実施の形態による、取付金具の構成を示す分解図である。
【図５】本発明の実施の形態による、取付金具の構成を示す斜視図である。
【図６】本発明の実施の形態による、車載用表示装置の構成を示す図である。
【図７】本発明の実施の形態の他の例による、車載用表示装置の構成を示す図である。
【図８】本発明の実施の形態の他の例による、取付金具の構成を示す図である。
【発明を実施するための形態】
【００１１】
実施の形態
次に、本発明を実施するための形態について、図面を参照して詳細に説明する。
【００１２】
図１は、本発明の実施の形態による、車載用表示装置１０の構成を示す図である。図に示すように、車載用表示装置１０は、制御装置１、表示装置２、取付金具３を備えている。
【００１３】
制御装置１の上面には溝部６があり、溝部６に取付金具３を介して表示装置２が取り付けられている。これにより、制御装置１の操作部１１及びインタフェース部１２の実装領域が確保できるとともに、操作部１１を表示装置２で覆わないようにすることが可能となる。
【００１４】
図２に示すように、取付金具３は、取付金具３Ａ、３Ｂ、３Ｃ（第１の部品、第２の部品、第３の部品）を備えている。取付金具３Ａ、３Ｂ、３Ｃは、それぞれ長穴状の取付部３１、３２、３３を備えている。また、取付金具３Ｂの周囲には、曲げ形状３５が設けられている。これにより、車輌振動に耐えられる剛性が確保される。
【００１５】
また、図３に示すように、取付金具３Ａは取付金具３Ａａ、３Ａｂを備えている。取付金具３ＡａはＵ字曲げ部３４を有している。これにより、上下方向の強度を確保している。また、取付金具３Ａｂによって取付金具３Ａａのねじれを防止している。さらに、取付金具３ＡａのＵ字曲げ部３４はケーブル４を通すのに十分な大きさを有しており、ケーブルルートとして使用できる。
【００１６】
図４に示すように、取付金具３のＵ字曲げ部３４に制御装置１と表示装置２を接続するケーブル４を通し、取付金具３Ａを制御装置１上面の溝部６のネジ穴１３に合せてネジ固定する。
【００１７】
次に、取付金具３Ｂを取付金具３Ａのネジ穴３６（図２）に合せてネジ固定する。さらに、表示装置２の背面に固定した取付金具３Ｃを取付金具３Ｂのネジ穴３７（図４）に合せてネジ固定する。取付金具３Ａ、３Ｂ、３Ｃの取付部３１、３２、３３は長穴となっているため、図５に示すように、取付金具３Ａで前後方向の位置、取付金具３Ｂで水平方向の角度、取付金具３Ｃで垂直方向の角度を調整することができる。
【００１８】
表示装置２を制御装置１に取付けない場合には、図６に示すように溝部６を隠す部品５を制御装置１の前方から装着し、弾性ツメ（図示せず）で固定する。
【００１９】
以上のように、本実施形態によれば、制御装置１の上面に僅かなスペースの溝部６を設け、その溝部６に車輌振動に耐えられる剛性を有する取付金具３を用いて表示装置２を取り付けるようにしたので、制御装置１の操作部及びインタフェース部の実装領域を確保することができる。また、表示装置２が制御装置１の前面を覆わないため、制御装置１の操作を妨げることがない。
【００２０】
また、本実施形態によれば、取付金具３の制御装置１への取付け部分にＵ字曲げ部３４を設けているので、車輌振動に耐えられる剛性を確保するとともにケーブル類をＵ字曲げ部３４に通すことが可能となり、制御装置１の背面から前面への配線が容易となる。
【００２１】
さらに、本実施形態によれば、取付金具３Ａ、３Ｂ、３Ｃの取付部３１、３２、３３は長穴となっているため、表示装置２を前後にスライドさせたり、上下左右に角度を変えたりすることが可能となり、表示装置２を運転手から見やすい位置に自在に調整できる。また、車輌の内装の形状によらずに表示装置２を取付けることが可能となる。
【００２２】
なお、図７に示すように表示装置２の背面に溝（第２の溝部）２１を設け、表示装置２の位置を上下方向にもスライドできるようにすることで、表示装置２をさらに運転手から見やすい位置に調整することが可能となる。
【００２３】
また、表示装置２を小型化・軽量化すれば、取付金具３の振動に対する強度は緩和できるため、取付金具３Ａａを図８に示すような簡易な形状とすることも可能である。
【００２４】
上記の実施の形態の一部または全部は、以下の付記のようにも記載されうるが、以下には限られない。
（付記１）上面に溝部を有する制御装置と、
前記溝部に取り付けられた取付金具と、
前記取付金具を介して前記制御装置に取り付けられた表示装置と、を備え、
前記取付金具は、
前記溝部に沿ってスライド可能に取り付けられた第１の部品と、
前記第１の部品に取り付けられ、前記第１の部品に対して水平方向に回転可能な第２の部品と、
前記表示装置の背面に固定され、かつ前記第２の部品に取り付けられ、前記第２の部品に対して垂直方向に回転可能な第３の部品と、
を備えた車載用表示装置。
（付記２）前記第１の部品は、前記溝部の底面との間に空洞を形成するＵ字曲げ形状を備え、前記空洞にケーブルを通すことが可能な、付記１に記載の車載用表示装置。
（付記３）前記第１の部品は、前記溝部への第１の取付部を備え、
前記第２の部品は、前記第１の部品への第２の取付部を備え、
前記第３の部品は、前記第２の部品への第３の取付部を備え、
前記第１の取付部、前記第２の取付部、及び前記第３の取付部は、長穴形状に形成されている、付記１または２に記載の車載用表示装置。
（付記４）前記第２の部品の周囲には、曲げ形状が設けられている、付記１から３のいずれかに記載の車載用表示装置。
（付記５）前記表示装置は、背面に第２の溝部を備えており、
前記第３の部品は、前記第２の溝部に沿ってスライド可能に取り付けられている、付記１から４のいずれかに記載の車載用表示装置。
【符号の説明】
【００２５】
１  制御装置、２  表示装置、３  取付金具、３Ａ，３Ｂ，３Ｃ  取付金具、３Ａａ，３Ａｂ  取付金具、４  ケーブル、５  部品、６  溝部、１０  車載用表示装置、１１  操作部、１２  インタフェース部、１３，３６，３７  ネジ穴、２１  溝、３１，３２，３３  取付部、３４  Ｕ字曲げ部、３５  曲げ形状
【図１】
0005885241.tif 000002
【図２】
0005885241.tif 000003
【図３】
0005885241.tif 000004
【図４】
0005885241.tif 000005
【図５】
0005885241.tif 000006
【図６】
0005885241.tif 000007
【図７】
0005885241.tif 000008
【図８】
0005885241.tif 000009